(57)【要約】【課題】  的確なタイミングで設定条件をクリアする。【解決手段】  制御部１１のＣＰＵ１１１は、ユーザＩＤを受け付けるＩＤ受付部１１１ａと、ユーザＩＤと対応付けて、画像処理の設定条件を受け付ける設定条件受付部１１１ｂと、設定条件に対応する画像処理が終了した時点から、その設定条件をクリアするまでの経過時間であるリセット時間をタイマに設定する時間設定部１１１ｃと、リセット時間が経過した時点で、設定条件をクリアする解除実行部１１１ｅとを備えている。【選択図】      図４
2006352614.tif 000002
【特許請求の範囲】
【請求項１】
所定の画像処理を実行する画像処理装置であって、
ユーザを識別する情報であるユーザ識別情報を受け付ける識別情報受付手段と、
前記ユーザ識別情報と対応付けて、前記画像処理の設定条件を受け付ける設定条件受付手段と、
前記識別情報受付手段によって受け付けられたユーザ識別情報に応じて、前記設定条件に対応する画像処理が終了した時点から、その設定条件をクリアするまでの経過時間であるリセット時間をタイマに設定する時間設定手段と、
前記リセット時間が経過した時点で、前記設定条件をクリアする解除実行手段とを備えることを特徴とする画像処理装置。
【請求項２】
前記リセット時間を前記ユーザ識別情報に対応付けて格納する時間記憶手段を備え、
前記時間設定手段は、前記識別情報受付手段によって受け付けられたユーザ識別情報に対応するリセット時間を前記時間記憶手段から読み出してリセット時間を前記タイマに設定することを特徴とする請求項１に記載の画像処理装置。
【請求項３】
前記設定条件を強制的にクリアする旨の指示入力である解除入力を受け付ける解除受付手段を備え、
前記解除実行手段は、前記解除受付手段によって前記解除入力が受け付けられた場合に、設定条件をクリアすることを特徴とする請求項１又は２に記載の画像処理装置。
【請求項４】
前記解除実行手段は、前記解除受付手段によって前記解除入力が受け付けられた場合に、前記識別情報受付手段に対して、既に受け付けられたユーザ識別情報をクリアして、ユーザ識別情報を受け付け可能とすることを特徴とする請求項１〜３のいずれかに記載の画像処理装置。
【発明の詳細な説明】
【技術分野】
【０００１】
本発明は、所定の画像処理を実行する画像処理装置に関するものである。特に、複写機、スキャナ、ファクシミリ、ネットワークファクシミリ及びネットワークプリンタの少なくとも２以上の機能を有する複合機に関するものである。
【背景技術】
【０００２】
従来、複写機等の画像処理装置は、ユーザによって濃度、拡大（縮小）倍率等の設定条件が設定され、その設定条件に対応する画像処理（例えば、コピー）が終了した時点から所定時間（以下、リセット時間という）以上（例えば、６０秒以上）経過すると、その設定条件が直後に使用するユーザの所望する設定条件と相違することを想定して、その設定条件をクリアしてデフォールトの設定条件に初期化するべく構成されていた。
【０００３】
また、このリセット時間が使用頻度に対して長い場合には、直前に設定された設定条件で誤って処理を実行してしまう等の誤操作の原因となり、利便性を阻害する要因となっていた。この問題に対して、所定期間毎の使用頻度に応じてリセット時間を設定することが提案されている（特許文献１参照）。
【特許文献１】特開２００４−５４２６７号公報
【発明の開示】
【発明が解決しようとする課題】
【０００４】
このように、使用頻度に応じてリセット時間を設定すると、上記の誤操作の可能性が低減され、利便性が向上される。しかしながら、同一の設定条件で連続（断続）して画像処理装置を使用する場合もあるため、更に的確なタイミングで設定条件をクリアすることが求められている。
【０００５】
本発明は、上記課題に鑑みてなされたもので、的確なタイミングで設定条件をクリアすることの可能な画像処理装置を提供することを目的とするものである。
【課題を解決するための手段】
【０００６】
請求項１に記載の画像処理装置は、所定の画像処理を実行する画像処理装置であって、ユーザを識別する情報であるユーザ識別情報を受け付ける識別情報受付手段と、前記ユーザ識別情報と対応付けて、前記画像処理の設定条件を受け付ける設定条件受付手段と、前記識別情報受付手段によって受け付けられたユーザ識別情報に応じて、前記設定条件に対応する画像処理が終了した時点から、その設定条件をクリアするまでの経過時間であるリセット時間をタイマに設定する時間設定手段と、前記リセット時間が経過した時点で、前記設定条件をクリアする解除実行手段とを備えることを特徴としている。
【０００７】
上記の構成によれば、識別情報受付手段によって、ユーザを識別する情報であるユーザ識別情報が受け付けられ、設定条件受付手段によって、ユーザ識別情報と対応付けて、画像処理の設定条件が受け付けられる。そして、時間設定手段によって、設定条件に対応する画像処理が終了した時点から、その設定条件をクリアするまでの経過時間であるリセット時間が、識別情報受付手段により受け付けられたユーザ識別情報に応じて、タイマに設定され、解除実行手段によって、画像処理が終了した時点からタイマによる計時がスタートされてリセット時間が経過した時点で、設定条件がクリアされる。
【０００８】
従って、設定条件に対応する画像処理が終了した時点から、その設定条件をクリアするまでの経過時間であるリセット時間が、ユーザ識別情報に応じてタイマに設定され、リセット時間が経過した時点で、設定条件がクリアされるため、的確なタイミングで設定条件がクリアされる。
【０００９】
例えば、所定の期間（例えば、１時間）において、同一の設定条件で、断続的に、コピー処理を行うユーザである場合には、設定条件を長く（例えば、９０秒に）設定することにより、一旦設定された設定条件がクリアされて、再度同一の条件を設定する操作が不要となり、利便性が向上される。
【００１０】
請求項２に記載の画像処理装置は、前記リセット時間を前記ユーザ識別情報に対応付けて格納する時間記憶手段を備え、前記時間設定手段が、前記識別情報受付手段によって受け付けられたユーザ識別情報に対応するリセット時間を前記時間記憶手段から読み出してリセット時間を前記タイマに設定することを特徴としている。
【００１１】
上記の構成によれば、時間記憶手段に、リセット時間がユーザ識別情報に対応付けて格納されており、時間設定手段によって、識別情報受付手段により受け付けられたユーザ識別情報に対応するリセット時間が時間記憶手段から読み出されてリセット時間がタイマに設定される。
【００１２】
従って、ユーザ識別情報に対応するリセット時間が時間記憶手段から読み出されてリセット時間がタイマに設定されるため、簡単な構成でユーザ識別情報に対応するリセット時間が設定される。
【００１３】
請求項３に記載の画像処理装置は、前記設定条件を強制的にクリアする旨の指示入力である解除入力を受け付ける解除受付手段を備え、前記解除実行手段が、前記解除受付手段によって前記解除入力が受け付けられた場合に、設定条件をクリアすることを特徴としている。
【００１４】
上記の構成によれば、解除受付手段によって、設定条件を強制的にクリアする旨の指示入力である解除入力が受け付けられ、解除実行手段によって、解除受付手段により解除入力が受け付けられた場合に、設定条件がクリアされる。
【００１５】
従って、解除入力が受け付けられた場合に、設定条件がクリアされるため、ユーザは解除入力を行うことにより、所望するタイミングで設定条件をクリアすることが可能となる。
【００１６】
請求項４に記載の画像処理装置は、前記解除実行手段が、前記解除受付手段によって前記解除入力が受け付けられた場合に、前記識別情報受付手段に対して、既に受け付けられたユーザ識別情報をクリアして、ユーザ識別情報を受け付け可能とすることを特徴としている。
【００１７】
上記の構成によれば、解除実行手段によって、解除受付手段により解除入力が受け付けられた場合に、識別情報受付手段において、既に受け付けられたユーザ識別情報がクリアされて、ユーザ識別情報を受け付け可能とされる。
【００１８】
従って、解除入力が受け付けられた場合に、既に受け付けられたユーザ識別情報がクリアされて、ユーザ識別情報を受け付け可能とされるため、ユーザは解除入力を行うことにより、所望するタイミングでユーザ識別情報をクリアすることが可能となる。
【発明の効果】
【００１９】
請求項１に記載の発明によれば、設定条件に対応する画像処理が終了した時点から、その設定条件をクリアするまでの経過時間であるリセット時間が、ユーザ識別情報に応じてタイマに設定され、リセット時間が経過した時点で、設定条件がクリアされるため、的確なタイミングで設定条件をクリアすることができる。
【００２０】
請求項２に記載の発明によれば、ユーザ識別情報に対応するリセット時間が時間記憶手段から読み出されてリセット時間がタイマに設定されるため、簡単な構成でユーザ識別情報に対応するリセット時間を設定することができる。
【００２１】
請求項３に記載の発明によれば、解除入力が受け付けられた場合に、設定条件がクリアされるため、ユーザは解除入力を行うことにより、所望するタイミングで設定条件をクリアすることができる。
【００２２】
請求項４に記載の発明によれば、解除入力が受け付けられた場合に、既に受け付けられたユーザ識別情報がクリアされて、ユーザ識別情報を受け付け可能とされるため、ユーザは解除入力を行うことにより、所望するタイミングでユーザ識別情報をクリアすることができる。
【発明を実施するための最良の形態】
【００２３】
本実施形態においては、画像処理装置が、複写機、スキャナ、ファクシミリ、インターネットファクシミリ及びネットワークプリンタの機能を有する複合機である場合について説明する。図１は、本発明に係る複合機と他の装置との接続状態の一例を示す接続図である。
【００２４】
複合機１は、公衆電話回線２１を介して複数のファクシミリ２と通信可能に接続されている。また、複合機１は、インターネット（ＷＷＷ）３１を介して複数のクライアント端末装置３と通信可能に接続されている。更に、複合機１は、ＬＡＮ（Ｌｏｃａｌ  Ａｒｅａ  Ｎｅｔｗｏｒｋ）４１を介して複数のクライアント端末装置４と通信可能に接続されている。
【００２５】
複合機１がスキャナとして機能する場合には、複合機１は、画像が形成された原稿から後述するスキャナ部１２（図２参照）によって画像を読み取って画像データを生成し、生成された画像データを後述するインターフェイス部１９（図２参照）及びＬＡＮ４１を介してクライアント端末装置４へ送信するものである。
【００２６】
複合機１がファクシミリとして機能する場合には、複合機１は、公衆電話回線２１を介して複数のファクシミリ２と画像データの通信を行い、画像データを送信する際には、後述するスキャナ部１２から原稿の画像データを読み込み、後述するファクシミリ通信部１７（図２参照）及び公衆電話回線２１を介して画像データをファクシミリ２に送信し、画像データを受信する際には、ファクシミリ２からの画像データをファクシミリ通信部１７及び公衆電話回線２１を介して受信し、後述するプリンタ部１３によって記録用紙上に画像を形成するものである。
【００２７】
複合機１がインターネットを介して通信するインターネットファクシミリとして機能する場合には、複合機１は、インターネット３１を介して複数のクライアント端末装置３と画像データの通信を行い、画像データを送信する際には、後述するスキャナ部１２（図２参照）から原稿の画像データを読み込み、後述するインターフェイス部１８（図２参照）及びインターネット３１を介して画像データをクライアント端末装置３に送信し、画像データを受信する際には、クライアント端末装置３からの画像データをインターフェイス部１８及びインターネット３１を介して受信し、後述するプリンタ部１３（図２参照）によって記録用紙上に画像を形成するものである。
【００２８】
複合機１がネットワークプリンタとして機能する場合には、複合機１は、ＬＡＮ４１及びインターフェイス部１９（図２参照）を介してクライアント端末装置４から画像データを受信し、後述するプリンタ部１３（図２参照）によって記録用紙上に画像を形成するものである。なお、複合機１が複写機として機能する場合には、複合機１は、後述するスキャナ部１２（図２参照）から原稿の画像データを読み込み、後述するプリンタ部１３によって記録用紙上に画像を形成するものである。
【００２９】
図２は、複合機１の一例を示す構成図である。複合機１は、複合機１全体の動作を制御する制御部１１と、原稿に印刷（又は記載）された画像を読み取り画像データを形成するスキャナ部１２と、画像データから画像を記録用紙に形成するプリンタ部１３と、タッチパネル等からなりユーザの操作を受け付ける操作部１４（識別情報受付手段、設定条件受付手段及び解除受付手段の一部に相当する）と、ＬＣＤ（Ｌｉｑｕｉｄ  Ｃｒｙｓｔａｌ  Ｄｉｓｐｌａｙ）等からなり操作のガイダンス情報等を表示する表示部１５と、画像データを格納する画像メモリ１６と、ファクシミリ２との画像データの送受信処理を行うファクシミリ通信部１７と、クライアント端末装置３との画像データの送受信処理を行うインターフェイス部１８と、クライアント端末装置４との画像データの送受信処理を行うインターフェイス部１９とを備えている。
【００３０】
制御部１１は、ＣＰＵ（Ｃｅｎｔｒａｌ  Ｐｒｏｃｅｓｓｉｎｇ  Ｕｎｉｔ）、表示部１５に表示される各種の画像情報及び制御プログラム等を格納するＲＯＭ（Ｒｅａｄ  Ｏｎｌｙ  Ｍｅｍｏｒｙ）、処理データを一時的に格納するＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、タイマ１０等を備え、操作部１４からユーザの操作情報を受け付けて複合機１全体の動作を制御するものである。
【００３１】
スキャナ部１２は、原稿載置部（図示省略）にセットされた原稿を読み取り、ライン単位で画像信号に変換し、この画像信号に所定の信号処理（レベル補正、γ補正、Ａ／Ｄ変換等）を施して、順次制御部１１に出力することによって、スキャナ機能を発揮するものである。
【００３２】
プリンタ部１３は、プリント条件に従って、画像データを記録用紙にプリントアウトすることによってプリンタ機能（又はコピー機能）を発揮するものである。このプリンタ部１３は、例えば、レーザプリンタ等からなり、画像データで変調されたレーザ光を感光体に照射して当該画像データからなる画像の潜像を形成するとともに、この潜像にトナーを静電的に付着して顕在化し、この顕像を記録用紙に転写して画像を形成するものである。
【００３３】
操作部１４は、例えば、テンキー、タッチパネル等からなり、ユーザの操作を受け付けるものである。このタッチパネルは公知の物が採用可能である。例えば、タッチパネルは、長方形状をした薄層体で、縦横にそれぞれ所定ピッチで線状の透明材からなる感圧素材を配列したものを透明カバーで被覆する等により構成されたもので、表示部１５の上面に貼付されている。そして、タッチパネルは表示部１５の画面に表示される選択などを促すボタンのアドレスと押圧位置とからいずれのボタンが指示されたかが判定し得るようにしている。
【００３４】
表示部１５は、ＬＣＤ及びＬＥＤ（Ｌｉｇｈｔ  Ｅｍｉｔｔｅｄ  Ｄｉｏｄｅ）等から構成され、公衆電話回線２１の接続状態、画像情報等の送受信状態等の各種状態や画像データの送信先の情報（ＦＡＸ  Ｎｏ．）等を文字情報、画像情報でＬＣＤに表示するとともに、通信エラーの有無及びメンテナンスの要否等をＬＥＤに表示するものである。
【００３５】
画像メモリ１６は、画像データ等を格納するものであって、例えば、Ａ４サイズの標準原稿に対応する画像データを多数枚（ここでは、略１００枚）記憶することができる大容量メモリである。
【００３６】
ファクシミリ通信部１７は、複合機１がファクシミリとして機能する場合に、公衆電話回線２１を介してファクシミリ２と画像データの送受信処理を行うものであって、符号化／復号化部１７１、変復調部１７２及び網制御部１７３を備えている。符号化／復号化部１７１は、送信すべき画像データの圧縮及び符号化を行うとともに、受信した画像データの伸長及び復号化を行うものである。変復調部１７２は、圧縮／符号化された画像データの音声信号への変調及び受信した信号（音声信号）の画像データへの復調を行うものである。網制御部１７３は、ＮＣＵ（Ｎｅｔｗｏｒｋ  Ｃｏｎｔｒｏｌ  Ｕｎｉｔ）に相当し、送受信相手であるファクシミリ２との公衆電話回線２１の接続を制御するものである。
【００３７】
インターフェイス部１８は、複合機１がインターネットファクシミリとして機能する場合に、クライアント端末装置３との画像データの送受信処理を行うものである。インターフェイス部１９は、複合機１がネットワークプリンタとして機能する場合に、クライアント端末装置４との画像データ等の送受信処理を行うものである。
【００３８】
図３は、操作部１４の一例を示す平面図である。操作部１４は、左側に、複合機１に実行させる機能を選択する場合に押下される機能選択ボタン１４１と、略中央部に各種の画面を表示するＬＣＤ（表示部１５の一部）と一体に配設されたタッチパネル１４２と、タッチパネル１４２の右側に配設され、数字を入力する場合に押下されるテンキー１４３と、テンキー１４３の右側に配設され、処理を開始する場合に押下されるスタートキー１４４と、テンキー１４３の上側に配設され、設定された条件をクリアする場合に押下される解除キー１４５（解除受付手段の一部に相当する）とを備えている。
【００３９】
機能選択ボタン１４１は、複合機１の有する機能である、複写機、スキャナ、ファクシミリ、インターネットファクシミリ及びネットワークプリンタの機能の内、どの機能を使用するかの選択入力を受け付けるものである。例えば、機能選択ボタン１４１の内、「コピー」選択ボタンを押下することにより、複写機としての機能を使用することが可能となる。
【００４０】
タッチパネル１４２は、表示部１５のＬＣＤに表示されたボタンの押下を検出することにより、複写機、スキャナ、ファクシミリ、インターネットファクシミリ及びネットワークプリンタの各機能の設定条件（複合機１が複写機として使用される場合には、濃度、出力する用紙の選択等）等の種々の条件を受け付けるものである。
【００４１】
テンキー１４３は、主に数字を入力する場合に押下されるものであって、例えば、複合機１が複写機として使用される場合には、コピー枚数、拡大縮小倍率等の種々の設定条件を受け付けるものである。
【００４２】
スタートキー１４４は、設定条件の入力終了後に、設定された条件での処理の実行を開始する場合に押下されるものである。例えば、複合機１が複写機として使用される場合には、コピー枚数、拡大縮小倍率等の種々の設定条件の設定が終了して、ユーザが複合機１に対して設定された条件でのコピー処理の開始をさせる場合に、押下されるものである。
【００４３】
解除キー１４５は、設定条件を強制的にクリアする旨の指示入力である解除入力を受け付けるものであり、且つ、既に受け付けられたユーザの識別情報（ここでは、ユーザＩＤである）をクリアして、ユーザＩＤを受け付け可能とするものである。より具体的には、図４に示す解除受付部１１１ｄが、ユーザからの設定条件を強制的にクリアする旨の指示入力を受付ける際に、解除キー１４５を介して行われるものである。
【００４４】
図４は、制御部１１の一例を示す機能構成図である。制御部１１のＣＰＵ１１１は、機能的に、ユーザの識別情報（ここでは、ユーザＩＤである）を受け付けるＩＤ受付部１１１ａ（識別情報受付手段の一部に相当する）と、ユーザＩＤと対応付けて、画像処理の設定条件を受け付ける設定条件受付部１１１ｂ（設定条件受付手段の一部に相当する）と、設定条件に対応する画像処理が終了した時点から、その設定条件をクリアするまでの経過時間であるリセット時間をタイマ１０に設定する時間設定部１１１ｃ（時間設定手段に相当する）と、設定条件を強制的にクリアする旨の指示入力である解除入力を受け付ける解除受付部１１１ｄ（解除受付手段の一部に相当する）と、リセット時間が経過した時点で、設定条件をクリアする解除実行部１１１ｅ（解除実行手段に相当する）とを備えている。
【００４５】
制御部１１のＨＤＤ１１２は、機能的に、登録ユーザの少なくともユーザＩＤ情報を格納するユーザ記憶部１１２ａと、設定条件受付部１１１ｂによって受け付けられた設定条件を格納する設定条件記憶部１１２ｂと、リセット時間をユーザＩＤと対応付けて格納する時間記憶部１１２ｃ（時間記憶手段に相当する）とを備えている。
【００４６】
ここでは、ＣＰＵ１１１が、ＲＯＭ等に予め格納された制御プログラムを読み出して実行することにより、ＩＤ受付部１１１ａ、設定条件受付部１１１ｂ、時間設定部１１１ｃ、解除受付部１１１ｄ、解除実行部１１１ｅ、ユーザ記憶部１１２ａ、設定条件記憶部１１２ｂ及び時間記憶部１１２ｃを含む機能部として機能するものである。
【００４７】
また、ＲＡＭ、ＲＯＭ、ＨＤＤ１１２に格納された各種データのうち装着脱可能な記録媒体に格納され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００４８】
ＩＤ受付部１１１ａは、操作部１４を介してユーザＩＤを受け付けて、受け付けたユーザＩＤが、登録済みのユーザである登録ユーザとしてユーザ記憶部１１２ａに格納されているユーザＩＤのいずれかと一致するか否かを判別するものである。
【００４９】
設定条件受付部１１１ｂは、操作部１４を介して画像処理の設定条件を受け付けて、設定条件記憶部１１２ｂに格納するものである。具体的には、機能選択ボタン１４１を介して、複写機、スキャナ、ファクシミリ、インターネットファクシミリ及びネットワークプリンタの機能の内、どの機能を使用するかの選択入力を受け付け、タッチパネル１４２等を介して、各機能の設定条件（複合機１が複写機として使用される場合には、濃度、拡大縮小倍率等）を受け付け、受け付けた条件をＩＤ受付部１１１ａによって受け付けられたユーザＩＤと対応付けて設定条件記憶部１１２ｂに格納するものである。
【００５０】
時間設定部１１１ｃは、ＩＤ受付部１１１ａによって受け付けられたユーザＩＤに対応するリセット時間を時間記憶部１１２ｃから読み出して、タイマ１０に設定するものである。
【００５１】
解除受付部１１１ｄは、設定条件受付部１１１ｂによって受け付けられた設定条件を強制的にクリアする旨の指示入力である解除入力を、解除キー１４５を介して受け付けるものである。
【００５２】
解除実行部１１１ｅは、時間設定部１１１ｃによって設定されたリセット時間が経過した時点で、又は、解除受付部１１１ｄによって解除入力が受付けられた場合に、設定条件受付部１１１ｂによって受け付けられた設定条件をクリアするものである。また、解除実行部１１１ｅは、コピー等の画像処理が終了したことを検出して、タイマ１０の計時をスタートさせるものである。更に、解除実行部１１１ｅは、時間設定部１１１ｃによって設定されたリセット時間が経過した時点で、ＩＤ受付部１１１ａによって受け付けられたユーザＩＤをクリアするものである。すなわち、設定条件記憶部１１２ｂに格納されたユーザＩＤ及び設定条件を消去するものである。
【００５３】
ユーザ記憶部１１２ａは、登録ユーザの少なくともユーザＩＤ情報を格納するものである。設定条件記憶部１１２ｂは、設定条件受付部１１１ｂによって受け付けられた設定条件をユーザＩＤと対応付けて格納するものである。時間記憶部１１２ｃは、リセット時間をユーザＩＤと対応付けて格納するものである。
【００５４】
図５は、時間記憶部１１２ｃに格納されたリセット時間及びユーザＩＤの一例を示す図表である。左欄にユーザＩＤが記載され、右欄にリセット時間が記載されている。例えば、ユーザＩＤが「Ａ」である場合には、リセット時間として６０ｓｅｃが設定され、ユーザＩＤが「Ｂ」である場合には、リセット時間として３０ｓｅｃが設定されている。
【００５５】
図６は、制御部１１の動作を説明するフローチャートの一例である。まず、ＩＤ受付部１１１ａによって、ユーザＩＤが受け付けられたか否かの判定が行われる（ステップＳ１０１）。ユーザＩＤが受け付けられていないと判定された場合（ステップＳ１０１でＮＯ）には、処理が待機状態とされる。ユーザＩＤが受け付けられたと判定された場合（ステップＳ１０１でＹＥＳ）には、ＩＤ受付部１１１ａによって、受け付けられたユーザＩＤが登録済みか否かの判定が行われる（ステップＳ１０３）。
【００５６】
登録済みではないと判定された場合（ステップＳ１０３でＮＯ）には、ステップＳ１０１に処理が戻される。登録済みであると判定された場合（ステップＳ１０３でＹＥＳ）には、時間設定部１１１ｃによって、ステップＳ１０１で受け付けられたユーザＩＤに対応するリセット時間ＴＲが時間記憶部１１２ｃから読み出され、タイマ１０に設定される（ステップＳ１０５）。そして、設定条件受付部１１１ｂによって、スタートキー１４４が押下されたか否かに基づいて設定条件の受け付けが終了したか否かの判定が行われる（ステップＳ１０７）。設定条件の受け付けが終了していないと判定された場合（ステップＳ１０７でＮＯ）には、処理が待機状態（ここでは、継続して設定条件を受け付ける状態）とされる。
【００５７】
設定条件の受け付けが終了したと判定された場合（ステップＳ１０７でＹＥＳ）には、解除実行部１１１ｅによって、スタートキー１４４の押下によって実行が指示されたジョブが終了したか否かの判定が行われる（ステップＳ１０９）。ジョブが終了していないと判定された場合（ステップＳ１０９でＮＯ）には、処理が待機状態とされる。ジョブが終了したと判定された場合（ステップＳ１０９でＮＯ）には、解除実行部１１１ｅによって、リセット時間をカウントダウンするタイマ１０のカウント値ＣＮに、ステップＳ１０５で読み出されたリセット時間ＴＲがセットされる（ステップＳ１１１）。
【００５８】
そして、解除受付部１１１ｄによって、解除キー１４５が押下されたか否かの判定が行われる（ステップＳ１１３）。解除キー１４５が押下されたと判定された場合（ステップＳ１１３でＹＥＳ）には、処理がステップＳ１２３に進められる。解除キー１４５が押下されていないと判定された場合（ステップＳ１１３でＮＯ）には、設定条件受付部１１１ｂによって、操作部１４を介して画像処理の設定条件が受け付けられたか否かの判定が行われる（ステップＳ１１５）。設定条件が受け付けられたと判定された場合（ステップＳ１１５でＹＥＳ）には、処理がステップＳ１０９に戻される。
【００５９】
設定条件が受け付けられていないと判定された場合（ステップＳ１１５でＮＯ）には、ＩＤ受付部１１１ａによって、ユーザＩＤが受け付けられたか否かの判定が行われる（ステップＳ１１７）。ユーザＩＤが受け付けられたと判定された場合（ステップＳ１１７でＹＥＳ）には、処理がステップＳ１０３に戻される。ユーザＩＤが受け付けられていないと判定された場合（ステップＳ１１７でＮＯ）には、解除実行部１１１ｅによって、カウント値ＣＮが１だけカウントダウンされる（ステップＳ１１９）。そして、解除実行部１１１ｅによって、カウント値ＣＮが「０」以下であるか否か（すなわち、リセット時間ＴＲのカウントダウンが終了したか否か）の判定が行われる（ステップＳ１２１）。カウント値ＣＮが「０」以下ではない（すなわち、リセット時間ＴＲのカウントダウンが終了していない）と判定された場合（ステップＳ１２１でＮＯ）には、処理がステップＳ１１３に戻される。
【００６０】
カウント値ＣＮが「０」以下である（すなわち、リセット時間ＴＲのカウントダウンが終了した）と判定された場合（ステップＳ１２１でＹＥＳ）、又は、ステップＳ１１３でＹＥＳの場合（すなわち、解除キー１４５が押下されたと判定された場合）には、解除実行部１１１ｅによって、ステップＳ１０７（又はステップＳ１１５）で設定された設定条件がクリアされる（すなわち、設定条件記憶部１１２ｂに格納された設定条件が消去される）。そして、解除実行部１１１ｅによって、ステップＳ１０１（又はステップＳ１１７）で受け付けられたユーザＩＤがクリアされ（設定条件記憶部１１２ｂに格納されたユーザＩＤが消去され）、処理が終了される。
【００６１】
このようにして、設定条件に対応する画像処理が終了した時点から、その設定条件をクリアするまでの経過時間であるリセット時間ＴＲが、ユーザＩＤに応じてタイマ１０に設定され、リセット時間ＴＲが経過した時点で、設定条件がクリアされるため、的確なタイミングで設定条件がクリアされる。
【００６２】
例えば、所定の期間（例えば、１時間）において、同一の設定条件で、断続的に、コピー処理を行うユーザ（図５において、ユーザＩＤが「Ｄ」であるユーザ）である場合には、設定条件を長く（例えば、９０秒に）設定することにより、一旦設定された設定条件がクリアされて、再度同一の条件を設定する操作が不要となり、利便性が向上される。
【００６３】
また、ユーザＩＤに対応するリセット時間ＴＲが時間記憶部１１２ｃから読み出されてリセット時間ＴＲがタイマ１０に設定されるため、簡単な構成でユーザＩＤに対応するリセット時間ＴＲが設定される。
【００６４】
更に、解除受付部１１１ｄによって、設定条件を強制的にクリアする旨の指示入力である解除入力が受け付けられた場合に、設定条件がクリアされるため、ユーザは、解除キー１４５を介して解除入力を行うことにより、所望するタイミングで設定条件をクリアすることが可能となる。
【００６５】
加えて、解除受付部１１１ｄによって、解除入力が受け付けられた場合に、既に受け付けられたユーザＩＤがクリアされて、ユーザＩＤを受け付け可能とされるため、ユーザは、解除キー１４５を介して解除入力を行うことにより、所望するタイミングでユーザＩＤをクリアすることが可能となる。
【００６６】
なお、本発明は、以下の形態にも適用可能である。
【００６７】
（Ａ）本実施形態では、画像処理装置が複写機、スキャナ、ファクシミリ、インターネットファクシミリ及びネットワークプリンタの機能を有する複合機１である場合について説明したが、複写機、ファクシミリ、インターネットファクシミリ及びネットワークプリンタの内、少なくともいずれか１つの機能を有する画像処理装置である形態でもよい。
【００６８】
（Ｂ）本実施形態では、時間設定部１１１ｃが、ユーザＩＤに対応するリセット時間を時間記憶部１１２ｃから読み出してタイマ１０に設定する場合について説明したが、その他の方法でユーザＩＤに対応するリセット時間ＴＲを設定する形態でもよい。例えば、ユーザＩＤが数字からなり、そのユーザＩＤに何らかの演算を施すことによってリセット時間ＴＲを設定する形態でもよい。この場合には、時間設定部１１１ｃが不要となる。
【００６９】
（Ｃ）本実施形態では、解除受付部１１１ｄによって、解除キー１４５を介して解除入力を受け付ける場合について説明したが、その他の方法で解除入力を受け付ける形態でもよい。例えば、複合機１が人体検知機能を備え、所定の範囲内（例えば、複合機１から２ｍ以内の領域）に人体が検出されなくなった場合に、解除入力を受け付ける形態でもよい。
【００７０】
（Ｄ）本実施形態では、ＩＤ受付部１１１ａが、操作部１４を介してユーザＩＤを受け付ける場合について説明したが、ＩＤ受付部１１１ａが、磁気カード、ＩＣカード、ＩＣタグ等の記憶媒体に格納されたユーザＩＤを複合機１に配設されたカードリーダ等を介して受け付ける形態でもよい。この場合には、ユーザＩＤの入力操作を簡略化することが可能となり、利便性が向上される。
【図面の簡単な説明】
【００７１】
【図１】本発明に係る複合機と他の装置との接続状態の一例を示す接続図である。
【図２】複合機の一例を示す構成図である。
【図３】操作部の一例を示す平面図である。
【図４】制御部の一例を示す機能構成図である。
【図５】時間記憶部に格納されたリセット時間及びユーザＩＤの一例を示す図表である。
【図６】制御部の動作を説明するフローチャートの一例である。
【符号の説明】
【００７２】
１  複合機
１１  制御部
１１１  ＣＰＵ
１１１ａ  ＩＤ受付部（識別情報受付手段の一部）
１１１ｂ  設定条件受付部（設定条件受付手段の一部）
１１１ｃ  時間設定部（時間設定手段）
１１１ｄ  解除受付部（解除受付手段の一部）
１１１ｅ  解除実行部（解除実行手段）
１１２  ＨＤＤ
１１２ａ  ユーザ記憶部
１１２ｂ  設定条件記憶部
１１２ｃ  時間記憶部（時間記憶手段）
【図１】
2006352614.tif 000003
【図２】
2006352614.tif 000004
【図３】
2006352614.tif 000005
【図４】
2006352614.tif 000006
【図５】
2006352614.tif 000007
【図６】
2006352614.tif 000008